(57)【要約】【課題】撮影者に負担のかからないスリットランプを提供すること。【解決手段】演算制御回路２１は、被検眼のコントラストをＣＣＤ１６ａの映像信号に基づいて求めると共に、可動テーブル６の前後への移動操作に伴い撮影部位のコントラストが最大になったとき、合焦状体表示部２６ａで合焦状態であることを知らせるようになっている。【選択図】図２
2008259544.tif 000002
【特許請求の範囲】
【請求項１】
コントロールレバーで前後・左右に移動操作される可動テーブルと、前記可動テーブルに上下動操作可能に取り付けられた支持部材と、前記被検眼にスリット照明光束を投影するスリット照明装置、前記被検眼を接眼鏡を介して観察可能な観察装置と、前記観察装置の光学系を介して前記被検眼を撮像可能な撮像手段と、前記撮像手段の映像信号に基づいて被検眼像を記録手段に記録させる制御手段を備えるスリットランプにおいて、
前記制御手段は、前記被検眼のコントラストを前記撮像手段の映像信号に基づいて求めると共に、前記可動テーブルの前後への移動操作に伴い前記撮影部位のコントラストが最大になったとき、報知手段で合焦状態であることを知らせることを特徴とするスリットランプ。
【請求項２】
請求項１に記載のスリットランプにおいて、前記被検眼の撮影したい部位を指定する撮影部位指定手段と、前記撮像手段が前記撮影部位指定手段で指定された撮影部位に合焦されたのを報知手段を更に備えると共に、
前記制御手段は、前記撮影部位指定手段で指定された撮影部位のコントラストの演算処理を前記撮像手段の映像信号に基づいて実行し、前記可動テーブルの前後への移動操作に伴い前記撮影部位のコントラストが最大になったとき、前記報知手段で合焦状態であることを知らせることを特徴とするスリットランプ。
【請求項３】
請求項１又は２に記載のスリットランプにおいて、前記報知手段は前記観察装置の観察光学系に配設され表示手段であり、前記制御手段は前記表示手段に前記被検眼像のコントラストの変化を表示させることを特徴とするスリットランプ。
【請求項４】
請求項３に記載のスリットランプにおいて、前記制御手段は前記コントラストの変化を色の変化で前記表示手段に表示させることを特徴とするスリットランプ。
【請求項５】
請求項４に記載のスリットランプにおいて、前記表示手段は前記接眼鏡で観察される被検眼像の周囲に沿って延びる環状の合焦状体表示部を有することを特徴とするスリットランプ。
【発明の詳細な説明】
【技術分野】
【０００１】
この発明は、被検眼の観察・撮影に用いるスリットランプに関するものである。
【背景技術】
【０００２】
一般に、スリットランプで被検眼の硝子体や網膜等その他の部分を観察・撮影する場合、検者は顕微鏡の接眼鏡を覗きながらコントロールレバーにより顕微鏡を前後に移動させて、撮影したい部位に対してピント調整（合焦操作）を行うようにしている。そして、ピントが撮影したい部位に合ったとき、コントロールレバーのスイッチを押して、被検眼を撮影するようにしている（例えば、特許文献１参照）。
【０００３】
一方、このような撮影は、顕微鏡の光学系を介してＣＣＤカメラ等のＣＣＤ（固体撮像素子、撮像手段）に撮影したい部位を結像させ、このＣＣＤからの映像信号をメモリやハードディスク，光磁気ディスク等の記録媒体に記録させることが行われている。
【特許文献１】特開２０００−６５８１３号公報
【発明の開示】
【発明が解決しようとする課題】
【０００４】
しがしながら、スリットランプでは、合焦視標を設けると、この合焦視標が観察の邪魔になるため、合焦視標が設けられていない。このため、撮影したい部位から検者の被検眼までの観察距離と撮影したい部位からＣＣＤまでの撮影距離とがずれることがある。
【０００５】
この場合には、撮影した画像（被検眼像）のピントが合っていないこともあり、再び撮影をする必要がある。
【０００６】
従って、ピントの合った画像を得るためには、コントロールレバーで顕微鏡を前後に移動操作させながら撮影したい部位の画像を何枚か撮影し、ピントの合った画像を選ぶ必要がある。
【０００７】
しかしながら、この場合には、撮影の最中に画像の確認を行ったり、ピントの合っていない不要な画像を消去したりする必要があり、撮影者に負担がかかるものであった。
【０００８】
そこで、この発明は、撮影者に負担のかからないスリットランプを提供することを目的とするものである。
【課題を解決するための手段】
【０００９】
この目的を達成するため、請求項１の発明は、コントロールレバーで前後・左右に移動操作される可動テーブルと、前記可動テーブルに上下動操作可能に取り付けられた支持部材と、前記被検眼にスリット照明光束を投影するスリット照明装置、前記被検眼を接眼鏡を介して観察可能な観察装置と、前記観察装置の光学系を介して前記被検眼を撮像可能な撮像手段と、前記撮像手段の映像信号に基づいて被検眼像を記録手段に記録させる制御手段を備えるスリットランプにおいて、前記制御手段は、前記被検眼のコントラストを前記撮像手段の映像信号に基づいて求めると共に、前記可動テーブルの前後への移動操作に伴い前記撮影部位のコントラストが最大になったとき、報知手段で合焦状態であることを知らせるスリットランプとしたことを特徴とする。
【発明の効果】
【００１０】
この構成によれば、一度の操作でピントがあった被検眼の撮影を行うことができるので、撮影の最中に画像の確認を行ったり、ピントの合っていない不要な画像を消去したりする必要がなく、撮影者に負担がかかることはない。
【発明を実施するための最良の形態】
【００１１】
以下、この発明の実施の形態を図面に基づいて説明する。
[構成]
図１はスリットランプを側面から見た外観図である。この図１において、１は検眼テーブル（図示せず）等に載置されるベース、２はベース１の前端部に取り付けられたヘッドレストである。
【００１２】
このヘッドレスト２は、ベース１に上下に向けて固定された支柱３と、支柱３の上下方向の中間部に設けられた顎受４と、支柱３の上端部に設けられた額当５を有する。被検者は、顎受４に顎を載せると共に額当５に額を当てることで、頭部をヘッドレスト２に固定できる。
【００１３】
また、ベース１上には、可動テーブル６が前後・左右に移動可能に装着されている。この可動テーブル６は、コントロールレバー７の前後・左右への傾動操作により、前後・左右に移動操作されるようになっている。このコントロールレバー７の上端部には、撮影等に用いるスイッチ８が取り付けられている。
【００１４】
更に、可動テーブル６上には第１の支持部材９が上下動可能（昇降可能）に取り付けられ、第１の支持部材９には顕微鏡支持アーム１０が配設されている。この顕微鏡支持アーム１０は、水平アーム部１０ａと、鉛直アーム部１０ｂから略Ｌ字状に形成されている。
【００１５】
そして、水平アーム部１０ａの端部が回動軸１１を介して第１の支持部材９上に水平回動可能に取り付けられている。また、この水平アーム部１０ａの上には第２の支持部材１２が回動軸１３を介して水平回動可能に取り付けられている。
【００１６】
また、鉛直アーム部１０ｂの上端部には顕微鏡１４が取り付けられている。１５は顕微鏡１４の接眼鏡である。更に、１６は顕微鏡１４の光学系（図示せず）を介して被検眼を撮影するＣＣＤカメラ、１７は第２の支持部材１２に取り付けられたスリット照明装置である。この照明装置１７は、ヘッドレスト２に固定される被検者の頭部の被検眼（図示せず）に向けてスリット照明光を投影できるようになっている。
【００１７】
このような顕微鏡１４の光学系や、顕微鏡１４の光学系を用いたＣＣＤカメラ１６の撮影光学系、及び照明装置１７等には従来周知のスリットランプの光学系を採用できるので、その詳細な説明は省略する。
【００１８】
更に、第１の支持部材９はパルスモータ１８により上下駆動可能に設けられている。尚、パルスモータ１８は、コントロールレバー７の握り部７ａの軸線周りの一方への回動操作により正転し、コントロールレバー７の握り部７ａの軸線周りの他方への回動操作により逆転するようになっている。そして、パルスモータ１８の正転により第１の支持部材９が上方に駆動され、パルスモータ１８の逆転により第１の支持部材９が下方に駆動されるようになっている。この構成は、眼底カメラやレフラクトメータ等の眼科機器のコントロールレバー（ジョイステックレバー）の構成と同じ構成を採用できるので、その詳細な説明は省略する。
【００１９】
また、顕微鏡支持アーム１０はパルスモータ１９により水平回動駆動可能に設けられており、第２の支持部材１２はパルスモータ２０により水平回動駆動可能に設けられている。このパルスモータ１９，２０は図示を省略したスイッチで正転及び逆転操作を行うことができるようになっている。これらのスイッチは、可動テーブル６上に設けられる操作パネル（図示せず）に設けておく。
【００２０】
また、可動テーブル６内には、図２に示した演算制御回路（演算手段、制御手段）２１が設けられている。この演算制御回路２１には、スイッチ８からの操作信号が入力され、図１のＣＣＤカメラ１６のＣＣＤ１６ａからの映像信号が入力されるようになっている。このＣＣＤ１６ａからの映像信号はパソコン２２に入力されるようになっている。このパソコン２２は図４に示したモニター画面２２ａを有し、このモニター画面２２ａにはＣＣＤ１６ａからの映像信号による被検眼画像２３が表示されるようになっている。このモニター画面２２ａにはタッチパネル（図示せず）が撮影部位指定手段として設けられている。尚、２４は演算制御回路２１に接続されたメモリ（記録媒体）、２５は演算制御回路２１に接続されたハードディスクや光磁気デスク等の情報記録再生装置である。
【００２１】
また、顕微鏡１４内の観察光学系（図示せず）の光路途中には図３の液晶パネル２６が配設されている。この液晶パネル（合焦状体表示手段）２６は光束が透過可能になっていて、検者は液晶パネル２６の中央部を介して接眼鏡１５により被検眼を観察可能になっている。また、この液晶表示パネル２６の周縁には、帯状で環状の合焦状態表示部２６ａが設けられている。この液晶パネル２６は演算制御回路２１により動作制御させられるようになっている。
[作用]
次に、この演算制御回路２１による制御について説明する。
【００２２】
先ず、被検者の顎を顎受４に顎を載せさせると共に、被検者の額を額当５に額を当てさせることで、被検者の頭部をヘッドレスト２に固定させる。この状態で、検者は、スリットランプの図示しない電源をＯＮさせて、照明装置１７のスリット照明光を被検者側に投影する。この投影により、被検者からの反射光束による像がＣＣＤ１６ａに結像され、このＣＣＤ１６ａからの映像信号による画像がモニター画面２２ａに映し出される。
【００２３】
この状態で、検者は、コントロールレバー７を前後・左右に操作して可動テーブル６を前後．左右に移動させると共に、コントロールレバー７の握り部７ａを回転操作して第１の支持部材９を上下動操作することにより、モニター画面２２ａで被検者の左右の被検眼の一方を顕微鏡１４で観察可能に設定する。
【００２４】
そして、検者は、被検眼からの反射光束による被検眼像を顕微鏡１４の接眼鏡１５で観察しながら、上述したコントロールレバー７の操作をして、被検眼の撮影したい部位にピントを合わせる。
【００２５】
この接眼鏡１５で観察している被検眼像２７はＣＣＤ１６ａに結像され、このＣＣＤ１６ａからの映像信号が演算制御回路２１を介してパソコン２２に入力されて、接眼鏡１５で観察している被検眼像２７と略同じ被検眼像２３がパソコン２２のモニター画面２２ａに表示される。
【００２６】
この際、検者は、モニター画面２２ａの被検眼像２３の撮影したい部位２７を指等でタッチして指定すると共に、スイッチ８をＯＮさせる。これに伴い、演算制御回路２１は、撮影したい部位２８のアドレスからの映像信号に基づいてコントラストの変化の演算処理を開始する。
【００２７】
この状態で検者は、再度、コントロールレバー７を前後方向に傾動操作して、可動テーブル６を前後に微動させ、撮影したい部位２８に対するピント合わせを行う。この際、演算制御回路２１は、図５に示したような撮影したい部位２８のコントラストの変化データを微小移動距離ｘｉ（ｉ＝１，２，３・・・ｎ）に対応して求めて、コントラストの変化データをメモリ２４に記憶させる。
【００２８】
この際、演算制御回路２１は、求めた撮影したい部位２７のコントラストの変化データからコントラストの変化特性線（変化特性データ）を求め、この変化特性線（変化特性データ）からコントラストのピーク値Cmaxを求め、このピーク値Cmaxをメモリ２４に記憶させる。このコントラストのピーク値Cmaxの位置では、撮影したい部位２８とＣＣＤ１６ａが共役になって、ＣＣＤ１６ａが撮影したい部位２８に合焦（ピントが合った）状態となる。
【００２９】
そして、演算制御回路２１は、このようなピント合わせ操作を継続すると、２度目にピーク値Cmaxが得られたとき、液晶パネル２６の合焦状態表示部２６ａにピーク位置Cmax（合焦状体）であることを色表示（例えば、緑色）させ、合焦状体であることを検者に知らせる。
【００３０】
この位置で検者がスイッチ８をＯＮさせると、演算制御回路２１は、ＣＣＤ１６ａに結像された被検眼像をメモリ２４に記憶させると共に、情報記録再生装置２５に記録させる。
【００３１】
尚、演算制御回路２１は、コントラストのピーク値Cmaxが求められた後に、検者が可動テーブル６を前後に微動操作してピント合わせ操作を継続したときに、撮影したい部位２８のコントラストがピーク値Cmaxに向けて変化すると、液晶パネル２６の周縁部２６ａに表示されている色をピーク値Cmaxに近づくに従って赤，黄・・・と変化させ、ピーク値Cmaxになったときに緑になるように制御させるようにできる。この場合には、コントラストがピーク値Cmaxになる位置を予測しながら可動テーブル６を前後に移動操作できるので、コントラストがピーク値Cmaxとなった位置で可動テーブル６の移動を簡易且つ迅速に停止させることができる。
【００３２】
また、このようなコントラストの演算処理が開始された後に、コントラストがピーク値Cmaxなった位置で、ＣＣＤ１６ａに結像された被検眼像をメモリ２４に記憶させると共に、情報記録再生装置２５に記録させるようにすることもできる。
【００３３】
以上説明した実施例では、液晶パネル２６を報知手段としたが、必ずしもこれに限定されるものではない。例えば、報知手段としては、スピーカ（ブザー）や、ＬＥＤ又はランプ等の発光体を用いることもできる。また、撮影部位指定手段として、モニター画面２２ａにタッチパネル（図示せず）を設けているが、必ずしもこれに限定されるものではない。例えば、撮影部位指定手段としては、タッチパネル以外にライトペンやマウス等を用いることもできる。
【００３４】
また、撮影部位指定手段としては、液晶パネル２６にカーソルを表示させると共に、このカーソルを操作するカーソル操作キーを可動テーブル６に設けておいて、カーソルが撮影したい部位を指し示した位置でスイッチ８をＯＮさせることにより、カーソルで示した部位（撮影部位）のコントラストの演算処理を演算制御回路２１にさせるようにしても良い。
【００３５】
以上説明したように、この発明の実施の形態のスリットランプは、コントロールレバー７で前後・左右に移動操作される可動テーブル６と、前記可動テーブル６に上下動操作可能に取り付けられた支持部材（第１の支持部材９）と、前記被検眼にスリット照明光束を投影するスリット照明装置１７、前記被検眼を接眼鏡１５を介して観察可能な観察装置（顕微鏡１４）と、前記観察装置（顕微鏡１４の光学系を介して前記被検眼を撮像可能な撮像手段（ＣＣＤ１６ａ）と、前記撮像手段（ＣＣＤ１６ａ）の映像信号に基づいて被検眼像を記録手段（メモリ２４，情報記録再生装置２５等）に記録させる制御手段（演算制御回路２１）を備えている。しかも、前記制御手段（演算制御回路２１）は、前記被検眼のコントラストを前記撮像手段（ＣＣＤ１６ａ）の映像信号に基づいて求めると共に、前記可動テーブル６の前後への移動操作に伴い前記撮影部位のコントラストが最大になったとき、報知手段（液晶パネル２６、スピーカ、ランプやＬＥＤ等の発光体）で合焦状態であることを知らせるようになっている。
【００３６】
この構成によれば、一度の操作でピントがあった被検眼の撮影を行うことができるので、撮影の最中に画像の確認を行ったり、ピントの合っていない不要な画像を消去したりする必要がなく、撮影者に負担がかかることはない。
【００３７】
また、この発明の実施の形態のスリットランプにおいて、前記被検眼の撮影したい部位を指定する撮影部位指定手段（タッチパネル，ライトペン，マウス）と、前記撮像手段（ＣＣＤ１６ａ）が前記撮影部位指定手段（タッチパネル，ライトペン，マウス）で指定された撮影部位に合焦されたのを報知手段（液晶パネル２６、スピーカ、ランプやＬＥＤ等の発光体）を更に備えている。しかも、前記制御手段（演算制御回路１６）は、前記撮影部位指定手段（タッチパネル，ライトペン，マウス）で指定された撮影部位のコントラストの演算処理を前記撮像手段（ＣＣＤ１６ａ）の映像信号に基づいて実行し、前記可動テーブル６の前後への移動操作に伴い前記撮影部位のコントラストが最大になったとき、前記報知手段（液晶パネル２６、スピーカ、ランプやＬＥＤ等の発光体）で合焦状態であることを知らせるようになっている。
【００３８】
この構成によれば、撮像手段（ＣＣＤ１６ａ）が撮影したい部位に対して合焦したのを簡易且つ迅速に知ることができる。
【００３９】
更に、この発明の実施の形態のスリットランプにおいて、前記報知手段は前記観察装置の観察光学系に配設され表示手段（液晶パネル２６）であり、前記制御手段（演算制御回路２１）は前記表示手段（液晶パネル２６）に前記被検眼像のコントラストの変化を表示させるようになっている。
【００４０】
この構成によれば、検者が接眼鏡１５で被検眼を観察しながら合焦操作を行っているときに、撮像手段（ＣＣＤ１６ａ）が被検眼に合焦したのを確実に知ることができるので、一度の操作でピントがあった被検眼の撮影を行うことができる。
【００４１】
また、この発明の実施の形態のスリットランプにおいて、前記制御手段（演算制御回路２１）は前記コントラストの変化を色の変化で表示させるようになっている。
【００４２】
この構成によれば、コントラストがピーク値Cmaxになる位置を予測しながら可動テーブル６を前後に移動操作できるので、コントラストがピーク値Cmaxとなった位置で可動テーブル６の移動を簡易且つ迅速に停止させて、ＣＣＤ１６ａを被検眼に対して正確に合焦させることができる。
【００４３】
また、この発明の実施の形態のスリットランプにおいて、前記表示手段（液晶パネル２６）は前記接眼鏡１５で観察される被検眼像の周囲に沿って延びる環状の合焦状態表示部２６ａを有する。
【００４４】
この構成によれば、合焦状態を容易に確認できるので、一度の操作でピントがあった被検眼の撮影を迅速活用いに行うことができる。
【図面の簡単な説明】
【００４５】
【図１】この発明にかかるスリットランプの側面図である。
【図２】図１のスリットランプの制御回路図である。
【図３】図１のスリットランプの顕微鏡内に配設される液晶パネルの説明図である。
【図４】図２のパソコンのモニター画面の説明図である。
【図５】図2の制御回路によるコントラストのピーク値Cmaxを求めるためのグラフである．
【符号の説明】
【００４６】
６・・・可動テーブル
７・・・コントロールレバー
９・・・第１の支持部材（支持部材）
１４・・・顕微鏡（観察装置）
１５・・・接眼鏡
１６・・・ＣＣＤカメラ
１６ａ・・・ＣＣＤ（撮像手段）
１７・・・スリット照明装置
２１・・・演算制御回路（制御手段）
２４・・・メモリ（記録手段）
２５・・・情報記録再生装置（記録手段）
２６・・・液晶パネル（報知手段、合焦状体表示手段）
２６ａ・・・合焦状体表示部（合焦状体報知部）
【図１】
2008259544.tif 000003
【図２】
2008259544.tif 000004
【図３】
2008259544.tif 000005
【図４】
2008259544.tif 000006
【図５】
2008259544.tif 000007
【手続補正書】
【提出日】平成19年12月17日(2007.12.17)
【手続補正１】
【補正対象書類名】明細書
【補正対象項目名】０００３
【補正方法】変更
【補正の内容】
【０００３】
一方、このような撮影は、顕微鏡の光学系を介してＣＣＤカメラ等のＣＣＤ（固体撮像素子、撮像手段）に撮影したい部位を結像させ、このＣＣＤからの映像信号をメモリやハードディスク，光磁気ディスク等の記録媒体に記録させることが行われている。    
【特許文献１】特開２００５−６５８１３号公報